(57)【要約】【課題】  気化器混合気ニードルにリミタ・キャップを取り付ける過程で気化器の調整が変わってしまうという問題を解決するような気化器の混合気調整スクリュー構造。【解決手段】  ａ）気化器本体を備え、該気化器本体は、気化器内の空気と燃料の混合気を調整するための少なくとも１つの調整スクリューを有し、該調整スクリューはねじが切られた軸とヘッドを有し、該ヘッドは滑らかな上面と波状で平坦でない側面により画定され、該側面は補完的な波状で平坦でない面を有する調整工具と契合して一致でき、  ｂ）遮断用囲いを備え、該遮断用囲いは、気化器本体から、各調整スクリューが突き出ている高さと少なくとも実質的に一致する高さまで延び、且つ一般的な工具ではスクリューを回せないが調整工具ではスクリューを調整できるようにヘッドに近接している、混合気調整スクリュー構造。【選択図】  図１
2005140038.tif 000002
【特許請求の範囲】
【請求項１】
気化器のいじり防止型混合気調整スクリュー構造であって、
ａ）気化器本体を備え、該気化器本体は、気化器内の空気と燃料の混合気を調整するための、気化器本体内に差し込まれ且つ気化器本体から突き出ている少なくとも１つの調整スクリューを有し、該調整スクリューはねじが切られた軸とヘッドを有し、該ヘッドは滑らかな上面と波状で平坦でない側面により画定され、該側面は気化器内の空気と燃料の混合気を最初に調整するために補完的な波状で平坦でない面を有する調整工具と係合して一致でき、そして
ｂ）遮断用囲いを備え、該遮断用囲いは、気化器本体から、各調整スクリューが突き出ている高さと少なくとも実質的に一致する高さまで延び、且つ一般的な工具ではスクリューを回せないが調整工具ではスクリューを調整できるようにヘッドに近接している、
混合気調整スクリュー構造。
【請求項２】
遮断用囲いは気化器本体と一体で、各ヘッドの側面の少なくとも大部分に近接している弓状の内側面を有する、請求項１に記載のいじり防止型調整スクリュー構造。
【請求項３】
遮断用囲いは各調整スクリューが突き出ている高さを超えて延びている、請求項２に記載のいじり防止型調整スクリュー構造。
【請求項４】
遮断用囲いは、ねじが切られた軸を取り囲んでいるばねにより保持されており且つ調整スクリューを囲むスリーブを備えている、請求項１に記載のいじり防止型調整スクリュー構造。
【請求項５】
遮断用囲いは気化器本体から延びている複数のポストを有する、請求項１に記載のいじり防止型調整スクリュー構造。
【請求項６】
波状で平坦でない側面は直線的なギザギザ状の面である、請求項１に記載のいじり防止型調整スクリュー構造。
【請求項７】
波状で平坦でない側面は波状の面である、請求項１に記載のいじり防止型調整スクリュー構造。
【請求項８】
波状で平坦でない側面はギアまたは歯車の形状である、請求項１に記載のいじり防止型調整スクリュー構造。
【請求項９】
気化器のいじり防止型調整スクリュー構造であって、
ａ）気化器本体を備え、該気化器本体は、気化器内の空気と燃料の混合気を調整するための、気化器本体内に差し込まれ且つ気化器本体から突き出ている少なくとも１つの調整スクリューを有し、該調整スクリューはねじが切られた軸とヘッドを有し、該ヘッドは滑らかな上面と波状で平坦でない側面により画定され、該側面は気化器内の空気と燃料の混合気を最初に調整するために、補完的な波状で平坦でない面を有する調整工具と係合して一致でき、そして
ｂ）遮断用囲いを備え、該遮断用囲いは、気化器本体から延び、各ヘッドを囲んでいるチャンバ、各ヘッドへの円筒形アクセス開口部を形成し、該アクセス開口部それぞれは、ヘッドと軸が一致しており、同軸の各ヘッドの直径より僅かに大きい直径を有し、一般的な工具ではスクリューを回せないが調整工具では調整できるようになっている、
混合気調整スクリュー構造。
【請求項１０】
波状の平坦でない側面は直線的なギザギザ状の面である、請求項９に記載のいじり防止型調整スクリュー構造。
【請求項１１】
波状の平坦でない側面は波状の面である、請求項９に記載のいじり防止型調整スクリュー構造。
【請求項１２】
波状の平坦でない側面はギアまたは歯車の形状である、請求項９に記載のいじり防止型調整スクリュー構造。
【発明の詳細な説明】
【技術分野】
【０００１】
本発明は気化器に関し、さらに詳細には気化器のいじり防止型混合気調整スクリュー構造に関する。
【背景技術】
【０００２】
環境保護に関する法律および規制は、例えばガソリンを燃料とする芝刈り機、縁刈り機、チェーンソー、ライントリマーのような小型の動力工具の燃焼生成物に制限を設けつつある。そのような動力工具は通常、２行程ガソリン機関への空気と燃料の混合気の供給を制御するために、ダイアフラム気化器を備えている。燃料は、燃料ポンプにより、機関の取り込み経路に供給される。燃圧は、燃圧調整器で一定の圧力に調整されている。燃圧調整器は、燃料ポンプから送られた燃料を収容する燃料チャンバを備えている。燃料チャンバの壁の１つを形成するダイアフラムと、ダイアフラムの動きに連動する制御弁は、燃料チャンバの吸気口を開閉させる。したがって、任意の位置で、燃料は機関に適切に供給される。燃料は燃料チャンバから主要燃料経路またはアイドル燃料経路を経て取り込み経路に進む。
【０００３】
主要燃料経路およびアイドル燃料経路の有効面積を独立に制御するために手動の燃料混合気調整スクリューが提供されている。調整スクリューは、燃料経路内に侵入または燃料経路内から後退できるニードル型弁を含む。
【０００４】
気化器混合気調整スクリューは、操作者が調整できる量が排気物質の規制要件に応じて制限されるように、位置が一部固定されている。それでも気化器混合気ニードルは調整可能であるが、通常、完全な回転運動を抑制するキャップまたは同様の設計により角度範囲が制限されている。そのような構造は米国特許第５６０３８６９号に開示され記載されている。
【特許文献１】米国特許第５６０３８６９号
【０００５】
最終製品を製造する間に、気化器は性能が最高になるように、そして排気物質の排出が許容範囲内になるように調整される。製造者は、２行程機関を検査し、特定の性能仕様となるように、組立工程の間に気化器混合気ニードルを調整する。これらの性能目標を達成した後、調整技師は混合気ニードル上にリミタ・キャップを取り付ける。リミタ・キャップを取り付ける過程で、気化器の調整が変わることがよくある。その場合、気化器の最終的な設定値は、性能または排気物質基準の点で許容範囲外になることがある。
【０００６】
２行程で手持ち式の製品の気化器混合気ニードルは、ニードルチップとジェット直径が非常に小さいので、非常に繊細である。これは排気量が、自動車、オートバイ等に用いられる大型の機関の排気量に比べて小さいからである。排気量が少ないと必要な燃料は比例して少なくなり、それにより効果的なジェットの大きさが決まる。
【０００７】
２行程機関の構成および最終製品への適用例に応じて、気化器は混合気ニードルを２つまたは１つ備えることができる。混合気ニードルが２つある構成では、低速（アイドル状態）および高速（スロットルが広く開いた状態）における燃料の濃さを調整できる。混合気ニードルが１つしかない構成では、高速における混合気のみ調整できる。これは低速では精密な性能を必要とせず、燃料の流量が一定でもよい製品に適用できる。
【０００８】
リミタ・キャップを取り付けるときに気化器の調整が変わってしまう問題は、複数の環境要因が原因である。１つの要因は、キャップを混合気ニードルに取り付けるときに必要な物理的な圧力の大きさである。一部のリミタ・キャップの構成は、キャップをニードル上に保持するための混合気ニードルとリミタ・キャップの間の締まり嵌めを基本としている。キャップをニードル上に押圧するのに必要な力は、しばしばニードルを動かし、そしてニードルを曲げることもある。
【０００９】
混合気ニードルに影響を及ぼしうる他の要因としては、ニードルの中心をずらす横からの圧力がある。横からの負荷は、リミタ・キャップの構成により生じる。一部の気化器の構成は、互いに近接している２つの混合気ニードルを基本としている。ニードルが２つある気化器の構成である場合、リミタ・キャップは、もう一方の混合気ニードルキャップに接触するように構成された物理的な止めを有する。このような２つのリミタ・キャップの近接した隙間のない構成が、横方向の負荷を生じさせ得、それによりニードルの本来の中心が物理的に移動し、ジェットを通る流量が変わる。
【００１０】
さらに他の要因は、周囲の構造である。チェーンソーのような製品は、気化器混合気ニードルに近接したハウジングとグロメットを有する。グロメットは、製品を損傷することがある泥や破片が気化器ハウジングの中に入らないようにするのに使用される。これらのグロメットもまた、ニードルの本来の中心をずらす原因となる横からの負荷をニードルにかけることがある。
【００１１】
またさらに、混合気ニードルに影響を及ぼしうる他の要因は、２行程機関により生じる振動である。この振動にニードルが共振し、そしてニードルチップおよびジェットノズルの流量特性を変化させる。ニードルの長さおよびリミタ・キャップによる重量の追加は流れに影響する振動を増大させる。
【００１２】
気化器混合気ニードルにリミタ・キャップを取り付けることに伴う他の問題は、調整可能な範囲についてである。米国政府の規制では、調整の限界値は検査が必要で、規制の排出限度内でなくてはならない。許容排気物質を一貫して低減させると、製造業者は消費者による調整の許容範囲を、全ての調整が実益がなく、消費者に意味のある恩恵をもたらすことのない範囲まで狭めることになる。
【００１３】
米国政府によるこれらの厳しい規制により、これらの製品の製造に伴う問題も生じ、そして調整パラメータは非常に厳しいので、組立作業において気化器の調整は重要になっている。調整仕様が厳しいので、設定値が許容範囲内に到達し、製品出荷の許可を得るために、製品へ複数のリミタ・キャップを取り付けなくてはならない場合がある。この組立における障害は、最終製品の形成に労働時間がかかる点で、完成製品の主要なコスト要因である。
【００１４】
製造業者または指定販売業者が、組立工程または販売業者による整備の間に特定の性能仕様を獲得できる位置に１または複数のニードル弁を配置できるように、気化器混合気ニードルを調整でき、且つ消費者による調整は防止できる構造が必要とされている。
【発明の開示】
【課題を解決するための手段】
【００１５】
本発明によると、気化器混合気ニードルは最終構成からリミタ・キャップを除外できるように構成されている。これは通常の手工具では回すことができない、いじり防止型の気化器混合気ニードル構造により達成される。製造業者が行う気化器混合気調整は、消費者には、固定されており調整できないとみなされる。厳しい排ガス規制のために、製造業者は気化器の構成をいかなる適切な調整もできないものにしなければならず、消費者は混合気の設定を修正できないので、したがって消費者が調整できなくても問題とならない。
【００１６】
本発明によるいじり防止型混合気ニードルの新しい構成は、製造業者および指定販売業者のみが利用可能な、気化器調整を行うための特別な工具によってのみ回すことができるニードル弁ヘッドを有する。混合気ニードルヘッドは、好ましくは特別な直線的なギザギザ状のパターンを混合気ニードルヘッドの外周に有し、特別なスクリュードライバ工具がそれと係合し、工場において調整するために混合気ニードルを回すことができる。直線的なギザギザ状の構成は他の形状でも同じ効果を得られる。他の形状とする場合はキー溝やギア状の歯等でよい。
【００１７】
このような形状の止め具または金物類で、市販されている一般的な工具はない。本発明による工具は、混合気ニードルヘッド上の直線的なギザギザ形状と係合する接合断面が形成された端部を有する。容易に位置合わせができるように、工具の歯状の凸部は交互になっている。工具の歯の数は混合気ニードルのギザギザの間隔に対応している限り様々であってよい。
【００１８】
いじり防止型ニードル構成の利点は、この構造の混合気ニードルで達成される調整の安定性である。横からの負荷、振動およびリミタ・キャップが取り付けられた後の変位に関する従来技術による構成に見られる問題点は最小になる。これは主に外力が混合気ニードルにかからないためであり、そしてニードルの端に付加重量がかかっていないからである。
【００１９】
この形式のニードル構成の他の利点は、組立労働に関する。混合気が安定しているので、気化器を適切に調整する時間は低減し、そして性能を許容範囲外に変えることがあるリミタ・キャップの取り付けにより必要となる設定の再調整をする必要がない。混合気ニードルへのリミタ・キャップの取り付けもまた組立工程から除去される。
【００２０】
排ガス規制の点でも利点がある。米国政府の排ガス規制は、確認のため製造業者により検査され、監視されている。製品の試験および検査にかかる時間は、調整不可能な形式の混合気ニードルのために低減される。位置は１つしかなく（設定値）、リミタ・キャップ形式のように制限するものもないが、一部の範囲で動くことができる。
【００２１】
カリフォルニア大気資源委員会（ＣＡＲＢ）、および環境保護庁（ＥＰＡ）という２つの米国政府関連機関により概要が示されたいじり防止要件を達成するために、上述のように、製造業者はいじり防止型の構成であることを証明しなくてはならない。消費者が例えばペンチなどで混合気ニードルに接触し回すことができる場合、そのニードルヘッドの構成は不十分である。他の調整手段の使用を禁止するために、周囲構造は、混合気ニードルへの接触を制限するような構成とされる。
【００２２】
ガソリン燃料のチェーンソーの場合、混合気ニードルへの接触を防ぐために気化器グロメットを用いることができる。グロメットは、調整のために調整工具はニードルに到達できるが他の手段ではニードルを調整ができないような大きさの小さなアクセスホールを有する。グロメットは、混合気ニードルからの分離を防ぐ突き出た壁によって、大規模に製品を解体しない限りチェーンソーから取り外せないように構成される。
【００２３】
縁刈り機、リーフブロワー、植木用バリカン等において、気化器の位置はチェーンソーに比べて接触しやすいことがあるので、気化器のキャスティングは、混合気ニードルに接触し回すことができないようにする追加の突起を備える。この突起は気化器本体のキャスティングと一体となっていてよく、したがって気化器に永久的な損傷を与えない限り取り除くことはできない。一体化した壁と同じ機能を達成するために、他の構成手段も可能である。例えば、壁と同じ形状に形成された、型に合わせて作られた仕切りのあるスチール製のカップを気化器本体に取り付けることができる。
【００２４】
本発明の１つの実施形態によると、遮断用囲いは気化器本体から、各調整スクリューの突起部の高さに少なくとも実質的に一致する高さまで延びている。スクリューを、一般的な工具では回せないが、特別な調整工具では調節できるように、遮断用囲いは調整スクリューのヘッドに近接している。
【００２５】
本発明の１つの実施形態によると、遮断用囲いは気化器本体内に成形された複数のポストを備える。本発明による他の実施形態によると、遮断用囲いは気化器本体と一体で、１または複数の調整スクリューを囲み、そしてその内面は弓状で、各ヘッドの側面の少なくとも大部分に近接している。本発明によるさらに他の実施形態において、遮断用囲いは、１または複数の調整スクリューを囲み且つ調整スクリューのばねに取り付けられている延伸スリーブを備える。
【００２６】
本発明によるさらに他の実施形態によると、遮断用囲いは気化器本体から延びるグロメットで、各調整スクリューヘッドを囲むチャンバを形成する。円筒形のアクセス開口部が、各スクリューヘッドに設けられ、各アクセス開口部は調節スクリューのヘッドと軸が一致している。スクリューを、一般的に利用可能な工具では回せないが、スクリューヘッドの側壁と係合できるようになっている特別な調整工具では調整できるように、各開口部の直径は軸が一致している各スクリューヘッドの直径より僅かに大きい。
【実施例】
【００２７】
図面、特に図１から図５Ｄを参照すると、気化器本体２２を有する機関気化器２０が示されている。通常、気化器２０は小型の２行程機関に用いられる。２行程機関の構成と最終製品に応じて、気化器は２つの混合気調整スクリューまたはニードル、あるいは１つの混合気調整スクリューまたはニードルを有していてよい。混合気ニードルが２つある構成では、低速（アイドル状態）および高速（スロットルが大きく開いている状態）の両方において燃料の濃さを調整できる。混合気ニードルが１つの構成では、高速における混合気のみ調整できる。これは低速では精密な性能を必要とせず、燃料の流量が一定でもよい製品に適用できる。
【００２８】
図示した例では、気化器２０は低速調整スクリュー２４と高速調整スクリュー２６を有する。それぞれのスクリュー２４および２６はねじが切られた軸２８とヘッド部分３０を有する。該ヘッド部分３０は、滑らかな上面３２と波状で平坦でない表面３４により画定される。「波状で平坦でない」というのは、図２および図３に示した直線的なギザギザ形状３５、および図５（ｃ）に示した波パターン３５ｂ、および図５（ｅ）に示したギアの歯または歯車のパターン３５ｄを含むものである。気化器を使用して機関が動作する際の振動により調整スクリュー２４および２６が回転しないように、圧縮ばね３６がスクリューの軸の周りを覆い、ヘッド部分３０と気化器本体２２に対向接触している。「滑らかな上面」というのは、調整スクリューの長手方向の軸に交差している直線、変則的な線、または曲線を、長手方向の軸の周りに回転させることにより生じた回転面を含むものである。そのような面はスクリュードライバと係合する溝のような、工具と係合する形状を有さないことを特徴とする。滑らかな上面の例は変則的な線３２ａが軸αの周りに回転してできた回転面で、それは図３（ｂ）に示した先端の切られた円錐台３２ｂである。
【００２９】
遮断用囲い３８は気化器２０の本体２２から、突き出た突起部または各ヘッド部分３０の頂点に少なくとも実質的に一致する高さまで延びている。図１から５（ｅ）に示した実施形態では、遮断用囲い３８は本体２２の一部として成形され、図３に最も明確に示したように、各ヘッド部分３０の頂点を超えている。遮断用囲い３８の内壁４０は各スクリューのヘッド部分３０に近接しており、先の細いペンチなど一般的に利用可能な工具でスクリューが回せないようになっている。ヘッド部分の上面３２は滑らかなので、スクリュードライバで回せないことがわかるはずである。
【００３０】
端にソケット４４を有する特別な調整工具４２を提供する。ソケット４４の内面４６は、図５（ａ）の直線的なギザギザ形状の面４８のように波状で平坦でない面を有する。面４８は、図２および図３に示したようなヘッド部分３０の直線的なギザギザ形状３５に適合し、嵌まるようになっている。端にあるソケット４４の外側の直径は、遮断用囲い３８の内側壁４０内に嵌まるような大きさになっている。
【００３１】
本発明による他の実施形態では、図５（ｂ）に示したように、ソケット４４ａの内側面は、波状で平坦ではなく、波状の面４８ａを有している。面４８ａは、図５（ｃ）に示したようなヘッド部分３０ｂの波状部３５ｂに適合し、嵌まるようになっている。
【００３２】
本発明によるさらに他の実施形態では、図５（ｄ）に示したように、ソケット４４ｃの内側面は、ギアの歯または歯車のパターン４６ｃを有している。パターン４６ｃは図５（ｅ）に示したようなヘッド部分３０ｄのギアまたは歯車形状部３５ｄに適合し、嵌まるようになっている。
【００３３】
さて、図６（ａ）および図６（ｂ）を参照すると、本発明によるさらに他の実施形態による遮断用囲い５０が示されている。遮断用囲い５０は、調整スクリュー２４および２６を囲み且つ調整スクリューばね３６により保持されている延伸スリーブ５２を備える。遮断用囲いの内側壁５４は、各スクリューのヘッド部分３０に近接しており、先の細いペンチのような一般的に利用可能な工具でスクリューが回せないようになっている。調整工具４２の端にあるソケット４４は遮断用囲い５０の内側壁５４内に嵌まるような大きさになっている。
【００３４】
図７に示したような、本発明によるさらに他の実施形態では、遮断用囲い６０は、複数のポスト６２を備える。ポスト６２は本体２２の一部として成形され、各ヘッド部分３０の先端部を超えて延びている。各ポスト６２は、各スクリューのヘッド部分３０に近接しており、先の細いペンチのような一般的に利用可能な工具でスクリューが回せないようになっている。調整工具４２の端にあるソケット４４は、各ポスト６２と各スクリューのヘッド部分３０の間の空間内に収まるような大きさになっていえる。
【００３５】
図８から図１０に示したような、本発明によるまたさらに他の実施形態では、遮断用囲い７０はグロメット７２を有する。グロメット７２は大規模に解体しない限りチェーンソーから取り除くことができないので、ガソリンを燃料とするチェーンソーに特に有益で、それについて明示する。グロメット７２は硬質のプラスチックを成形してなってよく、気化器イドル回転速度止めスクリュー７８を受容し、その止めスクリューへのアクセスを提供する通路７６を有するボディ７４と、ダイアフラムカバープレート８４の延長ブレード８２を受容するポケット８０を備える。このような取り付け構成にすると、グロメット７２を気化器本体８４に取り付けるときに、正確に配置できる。グロメット７２は混合気調整スクリュー８８および９０を囲むチャンバ８６を含む。円筒形のアクセス開口部９２および９４は、チャンバ８６につながり、各アクセス開口部９２および９４は、調節スクリューのヘッドと軸が一致している。各開口部９２および９４の直径は同軸の各スクリューヘッドの直径より僅かに大きく、一般的に利用可能な工具ではスクリューを回せないが、調整工具４２では前述の方法でスクリューを調整できるようになっている。
【００３６】
グロメット７２は、機関の囲い壁（図示せず）により保持されているので、気化器８４から容易には取り外せない。
【００３７】
本発明による特定の実施形態について図示し説明したが、それらの実施形態は本発明を限定するためのものではなく、説明するためのものであり、ここに示した特定の実施形態の、本発明の精神および範囲内にある他の変化形態および修正形態を実施できることは当業者には明らかである。したがって、本発明はここに示した特定の実施形態の範囲および効果に限定されるものではない。
【図面の簡単な説明】
【００３８】
【図１】本発明による１つの実施形態によるいじり防止型スクリュー構造を備える気化器の斜視図。
【図２】図１の構造の立面図。
【図３】図３（ａ）は、図２の線３−３に沿った断面図。図３（ｂ）は、本発明の他の実施形態による上面を有するスクリューを示す、図３（ａ）と同様の断面図。
【図４】いじり防止型スクリューのための調整工具。
【図５】図５（ａ）は、図４の調整工具の端面図。図５（ｂ）は、本発明の他の実施形態による調整工具の端面図。図５（ｃ）は、図５（ｂ）の調整工具に取り付けられるスクリューヘッドの平面図。図５（ｄ）は、本発明の他の実施形態による調整工具の端面図。図５（ｅ）は、図５（ｄ）の調整工具に取り付けられるスクリューヘッドの平面図。
【図６】図６（ａ）は、本発明の他の実施形態によるいじり防止型スクリュー構造を備える気化器の部分断面図。図６（ｂ）は、図６の気化器の部分立面図であり、図６（ａ）の線６Ａ−６Ａに沿った切断面を示す。
【図７】本発明の他の実施形態によるいじり防止型スクリュー構造を備える気化器の部分立面図。
【図８】本発明のさらなる実施形態によるいじり防止型スクリュー構造を備える気化器の立面図。
【図９】図８の気化器の端面図であり、図８の線９−９に沿った切断面を示す。
【図１０】図９の線１０−１０に沿った断面の部分断面図。
【符号の説明】
【００３９】
２０  機関気化器
２２  気化器本体
２４  低速調整スクリュー
２６  高速調整スクリュー
２８  ねじが切られた軸
３０、３０ｂ  ヘッド部分
３２  滑らかな上面
３２ａ  変則的な線
３２ｂ  先端が切られた円錐台
３４  波状で平坦でない表面
３５  直線的なギザギザ形状
３５ｂ  波状部
３５ｄ  ギアまたは歯車形状部分
３６  圧縮ばね、調整スクリューばね
３８、５０、６０  遮断用囲い
４０  遮断用囲い３８の内側壁
４２  調整工具
４４、４４ａ、４４ｃ  端にあるソケット
４６  ソケットの内側面
４６ｃ  ギアの歯または歯車のパターン
４８  直線的なギザギザ形状の面
４８ａ  波状の面
５２  延伸スリーブ
５４  遮断用囲い５０の内側壁
６２  複数のポスト
７２  グロメット
７４  ボディ
７６  通過経路
７８  止めスクリュー
８０  ポケット
８２  延長ブレード
８４  ダイアフラムカバープレート、ダイアフラム気化器
８６  チャンバ
８８、９０  混合気調整スクリュー
９２、９４  円筒形のアクセス開口部
【図１】
2005140038.tif 000003
【図２】
2005140038.tif 000004
【図３】
2005140038.tif 000005
【図４】
2005140038.tif 000006
【図５】
2005140038.tif 000007
【図６】
2005140038.tif 000008
【図７】
2005140038.tif 000009
【図８】
2005140038.tif 000010
【図９】
2005140038.tif 000011
【図１０】
2005140038.tif 000012